(57)【特許請求の範囲】
【請求項１】
照明器具を制御する上位制御システム、およびこの上位制御システムとの通信機能を有する前記照明器具を含む照明情報制御システムにおいて、
前記照明器具に関する情報を含む案内情報が前記上位制御システムに入力されること、
ならびに、前記上位制御システムにおいて、前記照明器具に対応する参照情報と前記案内情報とに基づいて前記照明器具に関する提示情報が生成され、前記照明器具の器具本体の規格に対応する器具本体を適合器具本体として、この適合器具本体に関する情報が前記提示情報に含まれること
を特徴とする照明情報制御システム。
【請求項２】
照明器具を制御する上位制御システム、およびこの上位制御システムとの通信機能を有する前記照明器具を含む照明情報制御システムにおいて、
前記照明器具に関する情報を含む案内情報が前記上位制御システムに入力されること、
ならびに、前記上位制御システムにおいて、前記照明器具に対応する参照情報と前記案内情報とに基づいて前記照明器具に関する提示情報が生成され、前記照明器具の電灯の規格に対応する電灯を適合電灯として、この適合電灯に関する情報が前記提示情報に含まれること
を特徴とする照明情報制御システム。
【請求項３】
照明器具を制御する上位制御システム、およびこの上位制御システムとの通信機能を有する前記照明器具を含む照明情報制御システムにおいて、
前記照明器具に関する情報を含む案内情報が前記上位制御システムに入力されること、
ならびに、前記上位制御システムにおいて、前記照明器具に対応する参照情報と前記案内情報とに基づいて前記照明器具に関する提示情報が生成され、前記照明器具のバラストの規格に対応するバラストを適合バラストとして、この適合バラストに関する情報が前記提示情報に含まれること
を特徴とする照明情報制御システム。
【請求項４】
照明器具を制御する上位制御システム、およびこの上位制御システムとの通信機能を有する前記照明器具を含む照明情報制御システムにおいて、
前記照明器具に関する情報を含む案内情報が前記上位制御システムに入力されること、
ならびに、前記上位制御システムにおいて、前記照明器具に対応する参照情報と前記案内情報とに基づいて前記照明器具に関する提示情報が生成され、前記参照情報が更新されるときに前記提示情報が生成されること
を特徴とする照明情報制御システム。
【請求項５】
照明器具を制御する上位制御システム、およびこの上位制御システムとの通信機能を有する前記照明器具を含む照明情報制御システムにおいて、
前記照明器具に関する情報を含む案内情報が前記上位制御システムに入力されること、
ならびに、前記上位制御システムにおいて、前記照明器具に対応する参照情報と前記案内情報とに基づいて前記照明器具に関する提示情報が生成され、前記照明器具に対応する参照情報および前記案内情報および絞込情報に基づいて前記提示情報が生成されること
を特徴とする照明情報制御システム。
【請求項６】
照明器具を制御する上位制御システム、およびこの上位制御システムとの通信機能を有する前記照明器具を含む照明情報制御システムにおいて、
前記照明器具に関する情報を含む案内情報が前記上位制御システムに入力されること、
ならびに、前記上位制御システムにおいて、前記照明器具に対応する参照情報と前記案内情報とに基づいて前記照明器具に関する提示情報が生成されること、
前記照明器具が複数設けられること、
前記上位制御システムが複数の前記照明器具を個別に制御すること、
前記参照情報が記憶されるサーバーが前記上位制御システムに設けられること、
前記サーバーと前記複数の照明器具との間で情報の送受信を仲介する伝送インターフェースが設けられること、
ならびに、前記複数の照明器具と前記伝送インターフェースとの間の通信方式と、前記サーバーと前記伝送インターフェースとの間の通信方式とが互いに異なること
を特徴とする照明情報制御システム。
【請求項７】
請求項１〜６のいずれか一項に記載の照明情報制御システムにおいて、
前記照明器具の電灯の寿命に関する情報が前記案内情報に含まれること
を特徴とする照明情報制御システム。
【請求項８】
請求項１〜７のいずれか一項に記載の照明情報制御システムにおいて、
前記照明器具の器具本体の経過年数に関する情報が前記案内情報に含まれること
を特徴とする照明情報制御システム。
【請求項９】
請求項１〜８のいずれか一項に記載の照明情報制御システムにおいて、
前記照明器具のバラストの寿命に関する情報が前記案内情報に含まれること
を特徴とする照明情報制御システム。
【請求項１０】
請求項１〜９のいずれか一項に記載の照明情報制御システムにおいて、
前記案内情報および前記参照情報に基づいて前記照明器具に対応した発注情報が生成されること
を特徴とする照明情報制御システム。
【請求項１１】
請求項５に記載の照明情報制御システムにおいて、
前記絞込情報として前記照明器具に関するユーザーの要望が設定されていること
を特徴とする照明情報制御システム。
【請求項１２】
請求項１〜１１のいずれか一項に記載の照明情報制御システムにおいて、
前記提示情報を表示する表示部を含むこと
を特徴とする照明情報制御システム。
【請求項１３】
請求項１〜１２のいずれか一項に記載の照明情報制御システムにおいて、
前記提示情報が携帯端末に送信されること
を特徴とする照明情報制御システム。
【請求項１４】
請求項１〜１３のいずれか一項に記載の照明情報制御システムにおいて、
前記提示情報が可視光通信で端末に送信されること
を特徴とする照明情報制御システム。
【請求項１５】
請求項６に記載の照明情報制御システムにおいて、
前記伝送インターフェースは、前記複数の照明器具のそれぞれから受信した複数の情報を１つの伝送情報にまとめて上流側に送信する機能、および上流側から受信した１つの伝送情報を前記複数の照明器具のそれぞれに対する複数の情報に変換して対応する照明器具に送信する機能を有すること
を特徴とする照明情報制御システム。
【発明の詳細な説明】
【技術分野】
【０００１】
本発明は、照明器具を制御する上位制御システム、およびこの上位制御システムとの通信機能を有する前記照明器具を備える照明情報制御システムに関する。
【背景技術】
【０００２】
上記システムとして、特許文献１に記載の照明情報制御システムが知られている。
この照明情報制御システムでは、照明器具に関する案内情報として、電灯の寿命に関する情報を照明器具から通信制御センターに送信する。これにより、通信制御センターのユーザーは電灯の寿命に関する情報を把握することができる。
【先行技術文献】
【特許文献】
【０００３】
【特許文献１】特開２００３−６８４７５号公報
【発明の概要】
【発明が解決しようとする課題】
【０００４】
上記ユーザーは、通知された情報をもとに電灯を新しいものに交換する必要があると判定したとき、案内情報の照明器具の規格に対応した電灯をデーターベースから検索し、検索結果のなかから適当な電灯を選択する必要がある。すなわち、案内情報を取得してから実際に電灯を交換するまでの間において、データーベースを検索する作業、および検索結果から１つの情報を選択する作業が必要となる。
【０００５】
このように、上記照明情報制御システムによれば、ユーザーが照明器具について希望する情報を得るまでに手間がかかるため、利便性の点において改善の余地が残されている。なお、このような問題は、照明器具に関する案内情報として電灯の寿命に関する情報以外のものが通知された場合においても同様に生じると考えられる。
【０００６】
本発明は上記課題を解決するためになされたものであり、その目的は、ユーザーが照明器具に関する情報を取得するときの手間を軽減することのできる照明情報制御システムを提供することにある。
【課題を解決するための手段】
【０００７】
上記目的を達成するための手段を以下に示す。
・本発明の照明情報制御システムは、照明器具を制御する上位制御システム、およびこの上位制御システムとの通信機能を有する前記照明器具を含む照明情報制御システムにおいて、前記照明器具に関する情報を含む案内情報が前記上位制御システムに入力されること、ならびに、前記上位制御システムにおいて前記照明器具に対応する参照情報と前記案内情報とに基づいて前記照明器具に関する提示情報が生成され、前記照明器具の器具本体の規格に対応する器具本体を適合器具本体として、この適合器具本体に関する情報が前記提示情報に含まれることを特徴としている。
【０００９】
・本発明の照明情報制御システムは、照明器具を制御する上位制御システム、およびこの上位制御システムとの通信機能を有する前記照明器具を含む照明情報制御システムにおいて、前記照明器具に関する情報を含む案内情報が前記上位制御システムに入力されること、ならびに、前記上位制御システムにおいて、前記照明器具に対応する参照情報と前記案内情報とに基づいて前記照明器具に関する提示情報が生成され、前記照明器具の電灯の規格に対応する電灯を適合電灯として、この適合電灯に関する情報が前記提示情報に含まれることを特徴としている。
・本発明の照明情報制御システムは、照明器具を制御する上位制御システム、およびこの上位制御システムとの通信機能を有する前記照明器具を含む照明情報制御システムにおいて、前記照明器具に関する情報を含む案内情報が前記上位制御システムに入力されること、ならびに、前記上位制御システムにおいて、前記照明器具に対応する参照情報と前記案内情報とに基づいて前記照明器具に関する提示情報が生成され、前記照明器具のバラストの規格に対応するバラストを適合バラストとして、この適合バラストに関する情報が前記提示情報に含まれることを特徴としている。
・本発明の照明情報制御システムは、照明器具を制御する上位制御システム、およびこの上位制御システムとの通信機能を有する前記照明器具を含む照明情報制御システムにおいて、前記照明器具に関する情報を含む案内情報が前記上位制御システムに入力されること、ならびに、前記上位制御システムにおいて、前記照明器具に対応する参照情報と前記案内情報とに基づいて前記照明器具に関する提示情報が生成され、前記参照情報が更新されるときに前記提示情報が生成されることを特徴としている。
・本発明の照明情報制御システムは、照明器具を制御する上位制御システム、およびこの上位制御システムとの通信機能を有する前記照明器具を含む照明情報制御システムにおいて、前記照明器具に関する情報を含む案内情報が前記上位制御システムに入力されること、ならびに、前記上位制御システムにおいて、前記照明器具に対応する参照情報と前記案内情報とに基づいて前記照明器具に関する提示情報が生成され、前記照明器具に対応する参照情報および前記案内情報および絞込情報に基づいて前記提示情報が生成されることを特徴としている。
・本発明の照明情報制御システムは、照明器具を制御する上位制御システム、およびこの上位制御システムとの通信機能を有する前記照明器具を含む照明情報制御システムにおいて、前記照明器具に関する情報を含む案内情報が前記上位制御システムに入力されること、ならびに、前記上位制御システムにおいて、前記照明器具に対応する参照情報と前記案内情報とに基づいて前記照明器具に関する提示情報が生成されること、前記照明器具が複数設けられること、前記上位制御システムが複数の前記照明器具を個別に制御すること、前記参照情報が記憶されるサーバーが前記上位制御システムに設けられること、前記サーバーと前記複数の照明器具との間で情報の送受信を仲介する伝送インターフェースが設けられること、ならびに、前記複数の照明器具と前記伝送インターフェースとの間の通信方式と、前記サーバーと前記伝送インターフェースとの間の通信方式とが互いに異なることを特徴としている。
【００１０】
・この照明情報制御システムにおいては、前記照明器具の電灯の寿命に関する情報が前記案内情報に含まれることが好ましい。
・この照明情報制御システムにおいては、前記照明器具の器具本体の経過年数に関する情報が前記案内情報に含まれることが好ましい。
【００１１】
・この照明情報制御システムにおいては、前記照明器具のバラストの寿命に関する情報が前記案内情報に含まれることが好ましい。
【００１２】
・この照明情報制御システムにおいては、前記案内情報および前記参照情報に基づいて前記照明器具に対応した発注情報が生成されることが好ましい。
【００１３】
・この照明情報制御システムにおいては、前記絞込情報として前記照明器具に関するユーザーの要望が設定されていることが好ましい。
・この照明情報制御システムにおいては、前記提示情報を表示する表示部を含むことが好ましい。
【００１４】
・この照明情報制御システムにおいては、前記提示情報が携帯端末に送信されることが好ましい。
・この照明情報制御システムにおいては、前記提示情報が可視光通信で端末に送信されることが好ましい。
【００１６】
・この照明情報制御システムにおいては、前記伝送インターフェースは、前記複数の照明器具のそれぞれから受信した複数の情報を１つの伝送情報にまとめて上流側に送信する機能、および上流側から受信した１つの伝送情報を前記複数の照明器具のそれぞれに対する複数の情報に変換して対応する照明器具に送信する機能を有することが好ましい。
【発明の効果】
【００１７】
本発明によれば、ユーザーが照明器具に関する情報を取得するときの手間を軽減することのできる照明情報制御システムを提供することができる。
【図面の簡単な説明】
【００１８】
【図１】本発明の第１実施形態の照明情報制御システムについて、その全体構成を模式的に示す模式図。
【図２】同実施形態の照明情報制御システムのサーバーについて、その構成を示すブロック図。
【図３】同実施形態の照明情報制御システムのマスターについて、その構成を示すブロック図。
【図４】同実施形態の照明情報制御システムの伝送インターフェースについて、その構成を示すブロック図。
【図５】同実施形態の照明情報制御システムの照明器具について、その構成を示すブロック図。
【図６】同実施形態の照明情報制御システムのサーバーにより実行される「交換電灯提示制御」について、その実行に基づく照明情報制御システムの各構成要素の動作を示すシーケンス図。
【図７】同実施形態の照明情報制御システムのサーバーにより実行される「交換バラスト提示制御」について、その実行に基づく照明情報制御システムの各構成要素の動作を示すシーケンス図。
【図８】同実施形態の照明情報制御システムのサーバーにより実行される「交換本体提示制御」について、その実行に基づく照明情報制御システムの各構成要素の動作を示すシーケンス図。
【図９】同実施形態の照明情報制御システムのサーバーにより実行される「最新器具提示制御」について、その実行に基づく照明情報制御システムの各構成要素の動作を示すシーケンス図。
【図１０】本発明の第２実施形態の照明情報制御システムについて、サーバーによる「自動発注制御」の実行に基づく照明情報制御システムの各構成要素の動作を示すシーケンス図。
【図１１】本発明の第３実施形態の照明情報制御システムについて、サーバーによる「要望反映提示制御」の実行に基づく照明情報制御システムの各構成要素の動作を示すシーケンス図。
【図１２】本発明の第４実施形態の照明情報制御システムについて、サーバーによる「携帯提示制御」の実行に基づく照明情報制御システムの各構成要素の動作を示すシーケンス図。
【図１３】本発明の第５実施形態の照明情報制御システムについて、サーバーによる「可視光通信提示制御」の実行に基づく照明情報制御システムの各構成要素の動作を示すシーケンス図。
【図１４】本発明の第６実施形態の照明情報制御システムについて、サーバーによる「交換電灯提示制御」の実行に基づく照明情報制御システムの各構成要素の動作を示すシーケンス図。
【発明を実施するための形態】
【００１９】
（第１実施形態）
本実施形態では、照明器具に関する情報を制御する照明情報制御システム１として本発明を具体化した一例を示している。この照明情報制御システム１は、オフィスビルの各部屋に設置された照明器具を備えるとともに、これら照明器具を一元的に監視および制御するシステムとして構成されている。
【００２０】
図１を参照して、照明情報制御システム１の構成について説明する。
照明情報制御システム１には、複数の設備機器として、複数の照明器具８０および複数の照明スイッチ９０が設けられている。またこの他に、これら設備機器を個別に制御する上位制御システム１０が設けられている。
【００２１】
上位制御システム１０には、サーバー２０、マスター３０、および伝送インターフェース４０が設けられている。なお、照明情報制御システム１の制御系統において、サーバー２０が最上位の機器に該当し、その下流側に各機器が順に接続されている。また、伝送インターフェース４０は、１つの上位コントローラー５０、複数の制御コントローラー６０、および複数の伝送アダプター７０を含めて構成されている。
【００２２】
サーバー２０は、照明情報制御システム１の全体に関する情報を統括して管理する。また、照明器具の器具本体の製品情報、電灯の製品情報、およびバラストの製品情報のうちの少なくとも１つを参照情報ＤＣとして記憶している。
【００２３】
マスター３０は、各照明器具８０の動作状況、ならび各照明器具８０に設けられる電灯の寿命が近づいたことを示す情報を含む各種情報をはじめとして、各設備機器の状況をモニタするブラウザ機能を有している。
【００２４】
制御コントローラー６０は、各照明スイッチ９０に個別に割り当てられたアドレス、および各照明器具８０に個別に割り当てられたアドレスを記憶している。各照明スイッチ９０のアドレスと各照明器具８０のアドレスとは、互いに対応付けられている。
【００２５】
伝送アダプター７０は、制御コントローラー６０のアドレス、自身の伝送アダプター７０としてのアドレス、および対応する各単位設備系統の照明器具８０のアドレスを記憶している。
【００２６】
照明情報制御システム１においては、複数の単位制御グループＵおよび複数の伝送グループＡが設けられている。上位コントローラー５０には、複数の単位制御グループＵが並列に接続されている。各制御コントローラー６０には、複数の伝送グループＡが並列に接続されている。
【００２７】
単位制御グループＵは、１つの制御コントローラー６０、およびこの制御コントローラー６０に対応する複数の伝送グループＡ、およびこの制御コントローラー６０に対応する複数の照明スイッチ９０を含めて構成されている。伝送グループＡは、１つの伝送アダプター７０、この伝送アダプター７０に対応する複数の照明器具８０を含めて構成されている。
【００２８】
各機器の接続環境について説明する。なお、以下において記載する各機器間の通信方式は一例であり、各機器間の通信方式を他の通信方式に変更することもできる。
マスター３０およびサーバー２０と上位コントローラー５０とは、伝送線Ｌ１により互いに接続されている。また、マスター３０およびサーバー２０と上位コントローラー５０との間においては、Ｅｔｈｅｒｎｅｔ（登録商標）プロトコルに基づくシリアル通信により信号の送受信が行われる。
【００２９】
上位コントローラー５０と各制御コントローラー６０とは、伝送線Ｌ２により互いに接続されている。また、上位コントローラー５０と各制御コントローラー６０との間においては、Ｅｔｈｅｒｎｅｔ（登録商標）プロトコルに基づくシリアル通信により信号の送受信が行われる。
【００３０】
制御コントローラー６０と各照明スイッチ９０とは、伝送線Ｌ３により互いに接続されている。制御コントローラー６０と各照明スイッチ９０との間においては、ＮＭＡＳＴ（登録商標）プロトコルに基づく通信により信号の送受信が行われる。
【００３１】
制御コントローラー６０と各伝送アダプター７０とは、伝送線Ｌ４によりバス接続されている。また、制御コントローラー６０と伝送アダプター７０との間においては、デジタル変調通信により信号の送受信が行われる。
【００３２】
伝送アダプター７０と各照明器具８０とは、伝送線Ｌ５により互いに接続されている。また、伝送線Ｌ５により直列に接続された複数の照明器具８０の系統を単位設備系統としたとき、１つの伝送アダプター７０には複数の単位設備系統が並列に接続されている。また、伝送アダプター７０と各照明器具８０との間においては、ＤＡＬＩ（Ｄｉｇｉｔａｌ  ＡｄＤＲＬｓｓａｂｌｅ  Ｌｉｇｈｔｉｎｇ  Ｉｎｔｅｒｆａｃｅ）規格に基づく通信により信号の送受信が行われる。
【００３３】
図２を参照して、サーバー２０の構成について説明する。なお、図２においては、伝送インターフェース４０を「伝送Ｉ／Ｆ」として記載している。また、図３、図５、および図６〜図１４においても同様の記載を用いている。
【００３４】
サーバー２０には、処理部２１、上位通信部２２、およびデーターベース２３が設けられている。上位通信部２２には、伝送線Ｌ１を介してマスター３０および伝送インターフェース４０が接続されている。データーベース２３には、図５に示される照明器具８０、電灯８６、およびバラスト８５等に関する参照情報ＤＣが記憶されている。
【００３５】
処理部２１は、入力された信号に基づいて各種の制御を行う。同制御の一例として、照明器具８０に関する案内情報ＤＲと参照情報ＤＣとを比較して提示情報ＤＰを生成し、この提示情報ＤＰをマスター３０に送信するものが挙げられる。上位通信部２２は、伝送インターフェース４０およびマスター３０との間でＥｔｈｅｒｎｅｔ（登録商標）プロトコルに基づくシリアル通信により信号の送受信を行う。
【００３６】
図３を参照して、マスター３０の構成について説明する。
マスター３０には、処理部３１、上位通信部３２、および表示部３３が設けられている。上位通信部３２には、伝送線Ｌ１を介してサーバー２０および伝送インターフェース４０が接続されている。
【００３７】
処理部３１は、入力された信号に基づいて各種の制御を行う。同制御の一例として、受信した各種情報を表示部３３に表示させる制御、および照明器具８０またはサーバー２０に送信するための各種情報を生成する制御が挙げられる。上位通信部３２は、サーバー２０および伝送インターフェース４０との間でＥｔｈｅｒｎｅｔ（登録商標）プロトコルに基づくシリアル通信により信号の送受信を行う。
【００３８】
図４を参照して、伝送インターフェース４０の構成について説明する。なお、伝送インターフェース４０には、１つの上位コントローラー５０、複数の制御コントローラー６０、および複数の伝送アダプター７０が設けられているが、図４においては制御コントローラー６０および伝送アダプター７０をそれぞれ１つだけ記載している。
【００３９】
伝送インターフェース４０には、処理部４１、下位通信部４２、および上位通信部４３が設けられている。処理部４１は、上位コントローラー５０、制御コントローラー６０、および伝送アダプター７０のそれぞれに設けられる処理部の全てを含めて構成されている。下位通信部４２は、伝送アダプター７０の通信部を含めて構成されている。上位通信部４３は、上位コントローラー５０の通信部を含めて構成されている。
【００４０】
処理部４１は、入力された信号に基づいて各種の制御を行う。同制御の一例として、照明器具８０から送信された情報をサーバー２０およびマスター３０に送信する制御、ならびにサーバー２０およびマスター３０から送信された情報を照明器具８０に送信する制御が挙げられる。
【００４１】
下位通信部４２は、照明器具８０との間でＤＡＬＩ規格に基づく通信により信号の送受信を行う。上位通信部４３は、サーバー２０またはマスター３０との間でＥｔｈｅｒｎｅｔ（登録商標）プロトコルに基づくシリアル通信により信号の送受信を行う。
【００４２】
図１を参照して、制御コントローラー６０および伝送アダプター７０の構成について説明する。なお、ここで説明する制御コントローラー６０と伝送アダプター７０との関係は、１つの制御コントローラー６０に接続される全部の伝送アダプター７０に共通する。
【００４３】
制御コントローラー６０と伝送アダプター７０との間においては、制御コントローラー６０から伝送アダプター７０を介して各単位設備系統の照明器具８０に送信される情報が１つの伝送情報ＤＢに含められる。また、各単位設備系統の照明器具８０から伝送アダプター７０を介して制御コントローラー６０に送信される情報が１つの伝送情報ＤＢに含められる。
【００４４】
伝送アダプター７０は、所定の受信期間が経過する毎に、同受信期間において受信した各単位設備系統の情報を含めて１つの伝送情報ＤＢを生成し、この伝送情報ＤＢを制御コントローラー６０に送信する。また、制御コントローラー６０からの伝送情報ＤＢを受信したとき、この伝送情報ＤＢに含まれる各照明器具８０宛ての情報を取り出し、この情報を対応する各照明器具８０に送信する。
【００４５】
図５を参照して、照明器具８０の構成について説明する。
照明器具８０には、建造物に取り付けられる器具本体８１と、この器具本体８１に取り付けられる電灯８６とが設けられている。器具本体８１には、処理部８２、下位通信部８３、および点灯回路部８４が設けられている。
【００４６】
処理部８２は、入力された信号に基づいて各種の制御を行う。同制御の一例として、照明器具８０の点灯状態および動作状況を示す情報を生成し、この情報を伝送アダプター７０に送信するものが挙げられる。また処理部８２は、照明器具８０の器具本体８１の型番、バラスト８５の型番、および電灯８６の型番を記憶している。
【００４７】
電灯８６は、蛍光電灯を含めて構成されている。点灯回路部８４は、電灯８６を点灯させるバラスト８５を有する。下位通信部８３は、伝送アダプター７０との間でＤＡＬＩ規格に基づく通信により信号の送受信を行う。
【００４８】
処理部８２により行われる各種制御の例として以下の（Ａ）および（Ｂ）を示す。
（Ａ）処理部８２は、本照明器具８０の電灯８６の点灯時間を積算する。下位通信部８３は、この積算点灯時間が電灯８６に対して設定される所定の判定時間（以下、「電灯判定時間ＴＬ」）を超えたとき、電灯８６の寿命が末期であることを示す電灯寿命情報ＤＲＬをマスター３０に送信する。マスター３０は、照明器具８０から送信された電灯寿命情報ＤＲＬを表示する。これにより、オフィスビルの管理者等のユーザーに対して電灯寿命情報ＤＲＬが提供される。
【００４９】
電灯判定時間ＴＬは、電灯の型番毎の寿命に応じて設定されている。ユーザーは、電灯８６を古い電灯８６から新しい電灯８６に交換するとき、新しい電灯８６の型番をマスター３０に入力する。これにより、マスター３０を介して対応する照明器具８０に新しい電灯８６の型番および電灯判定時間ＴＬが設定される。
【００５０】
積算点灯時間は次のように更新される。すなわち、電灯８６が古い電灯８６から新しい電灯８６に交換されたとき、古い電灯８６についての積算点灯時間が過去積算点灯時間として処理部８２に記憶される。また、積算点灯時間が初期化されることにより、新しい電灯８６についての積算点灯時間のカウントが「０」から開始される。過去積算点灯時間は、電灯８６が交換される毎に電灯８６毎に順次蓄積されていく。
【００５１】
（Ｂ）処理部８２は、電灯８６の積算点灯時間、および前回のバラスト８５の交換が行なわれてから現在までに蓄積された過去積算点灯時間の全てを加算し、バラスト積算点灯時間を算出する。下位通信部８３は、このバラスト積算点灯時間がバラスト８５に対して設定される所定の判定時間（以下、「バラスト判定時間ＴＢ」）を超えたとき、バラスト８５の寿命が末期であることを示すバラスト寿命情報ＤＲＢをマスター３０に送信する。マスター３０は、照明器具８０から送信されたバラスト寿命情報ＤＲＢを表示する。これにより、ユーザーに対してバラスト寿命情報ＤＲＢが提供される。
【００５２】
バラスト判定時間ＴＢは、バラストの型番毎の寿命に応じて設定されている。ユーザーは、バラスト８５を古いバラスト８５から新しいバラスト８５に交換するとき、新しいバラスト８５の型番をマスター３０に入力する。これにより、マスター３０を介して対応する照明器具８０に新しいバラスト８５の型番およびバラスト判定時間ＴＢが設定される。
【００５３】
図１を参照して、照明器具８０に関する制御等について説明する。
照明スイッチ９０としては、照明器具８０の点灯状態をオンまたはオフに切り替えるスイッチが設けられている。この照明スイッチ９０は、トリガ入力としてのスイッチの動作状態の切り替えに基づいて、トリガ入力に対応した監視情報ＤＭをＮＭＡＳＴ（登録商標）プロトコルに基づく通信により制御コントローラー６０に送信する。
【００５４】
制御コントローラー６０は、各照明スイッチ９０からトリガ入力としての監視情報ＤＭを受信したとき、この監視情報ＤＭに対応した照明器具８０を点灯するための個別点灯制御情報ＤＬを生成し、この個別点灯制御情報ＤＬを伝送アダプター７０に送信する。
【００５５】
個別点灯制御情報ＤＬの送信先となる照明器具８０は、監視情報ＤＭの送信元である各照明スイッチ９０と予め対応関係が設定されている。監視情報ＤＭの送信元である各照明スイッチ９０に対して複数の照明器具８０が対応付けられている場合、図２の処理部２１は、各照明器具８０宛ての個別点灯制御情報ＤＬを含む１つの伝送情報ＤＢを生成する。そして、この伝送情報ＤＢを各伝送アダプター７０に対して送信する。
【００５６】
伝送アダプター７０は、制御コントローラー６０から送信された伝送情報ＤＢを受信したとき、この伝送アダプター７０の下流側に接続されている照明器具８０のアドレスが同伝送情報ＤＢに含まれているか否かを判定する。そして、照明器具８０のアドレスが含まれている旨判定したときには、伝送情報ＤＢから照明器具８０宛ての個別点灯制御情報ＤＬを取り出し、この個別点灯制御情報ＤＬを対応する照明器具８０に送信する。
【００５７】
照明器具８０は、伝送アダプター７０からこの照明器具８０宛てに送信された個別点灯制御情報ＤＬを受信したときには、個別点灯制御情報ＤＬに基づいて点灯回路部８４の出力を制御する。すなわち、個別点灯制御情報ＤＬに基づいて電灯８６の点灯状態を変化させる。
【００５８】
照明器具８０の制御に関する一連の流れについて説明する。
照明スイッチ９０がオフからオンに切り替えられたとき、または照明スイッチ９０がオンからオフに切り替えられたとき、照明スイッチ９０から制御コントローラー６０に監視情報ＤＭが送信される。そして、制御コントローラー６０において個別点灯制御情報ＤＬが生成された後、制御コントローラー６０から伝送アダプター７０に個別点灯制御情報ＤＬを含む伝送情報ＤＢが送信される。
【００５９】
次に、伝送アダプター７０において伝送情報ＤＢから個別点灯制御情報ＤＬが取り出された後、この個別点灯制御情報ＤＬが伝送アダプター７０から照明器具８０に送信される。そして、照明器具８０がこの個別点灯制御情報ＤＬを受信したとき、同照明器具８０が個別点灯制御情報ＤＬに対応して動作する。すなわち、監視情報ＤＭおよび個別点灯制御情報ＤＬが照明スイッチ９０のオフからオンへの操作に基づく情報のとき、電灯８６が点灯される。また、監視情報ＤＭおよび個別点灯制御情報ＤＬが照明スイッチ９０のオンからオフへの操作に基づく情報のとき、電灯８６が消灯される。
【００６０】
図６〜図９を参照して、提示制御の内容について説明する。
サーバー２０は、照明器具８０から受信した同照明器具８０に関する情報（以下、「案内情報ＤＲ」）の内容に応じて以下の（Ａ）〜（Ｄ）の各提示制御を行う。
（Ａ）「交換電灯提示制御（図６）」。
（Ｂ）「交換バラスト提示制御（図７）」。
（Ｃ）「交換本体提示制御（図８）」。
（Ｄ）「最新器具提示制御（図９）」。
【００６１】
「交換電灯提示制御」は、電灯８６の寿命が検出されたとき、寿命が検出された電灯８６の規格と対応する電灯（以下、「適合電灯」）に関する情報をマスター３０によりユーザーに提供するための制御として行われる。
【００６２】
「交換バラスト提示制御」は、バラスト８５の寿命が検出されたとき、寿命が検出されたバラスト８５の規格と対応するバラスト（以下、「適合バラスト」）に関する情報をマスター３０によりユーザーに提供するための制御として行われる。
【００６３】
「交換本体提示制御」は、器具本体８１が設置されてから所定期間以上の期間が経過したとき、同器具本体８１の規格と対応する器具本体（以下、「適合器具本体」）に関する情報をマスター３０によりユーザーに提供するための制御として行われる。
【００６４】
「最新器具提示制御」は、サーバー２０に記憶されている参照情報ＤＣが更新されたとき、適合器具本体に関する情報をマスター３０によりユーザーに提供するための制御として行われる。
【００６５】
図６を参照して、「交換電灯提示制御」の流れについて説明する。なお、本制御において用いられる電灯寿命情報ＤＲＬは「案内情報」に相当する。また、電灯提示情報ＤＰＬは「提示情報」に相当する。
【００６６】
照明器具８０は、自身の電灯８６の寿命を確認する判定を所定周期毎に実行する。そして、電灯８６の寿命が末期の旨判定したとき、図５の処理部８２の記憶部から電灯８６の型番および照明器具８０のアドレスを取得する。そして、電灯８６の寿命が末期である旨、電灯８６の型番、および照明器具８０のアドレスを含む電灯寿命情報ＤＲＬを生成し、この電灯寿命情報ＤＲＬを伝送インターフェース４０に送信する。
【００６７】
伝送インターフェース４０は、照明器具８０から電灯寿命情報ＤＲＬを受信したとき、この電灯寿命情報ＤＲＬをサーバー２０およびマスター３０に送信する。なお、複数の照明器具８０から電灯寿命情報ＤＲＬを受信したときには、複数の電灯寿命情報ＤＲＬを１つの伝送情報ＤＢにまとめて送信する。
【００６８】
サーバー２０は、伝送インターフェース４０から電灯寿命情報ＤＲＬを受信したとき、この電灯寿命情報ＤＲＬに含まれる電灯８６の型番に基づいて、照明器具８０の適合電灯を図２のデーターベース２３から検索する。すなわち、データーベース２３に参照情報ＤＣとして記憶されている複数の電灯の製品情報のなかから適合電灯の製品情報を抽出する。そして、抽出した製品情報に基づいて電灯提示情報ＤＰＬを生成し、この電灯提示情報ＤＰＬをマスター３０に送信する。
【００６９】
マスター３０は、伝送インターフェース４０から電灯寿命情報ＤＲＬを受信したとき、この電灯寿命情報ＤＲＬに基づく情報を図３の表示部３３に表示する。すなわち、電灯寿命情報ＤＲＬに基づく情報として、電灯８６の寿命が末期である旨および照明器具８０の所在を表示する。
【００７０】
またマスター３０は、サーバー２０から電灯提示情報ＤＰＬを受信したとき、この電灯提示情報ＤＰＬに基づく情報を図３の表示部３３に表示する。すなわち、電灯提示情報ＤＰＬに基づく情報として、適合電灯の製品情報を表示する。
【００７１】
図７を参照して、「交換バラスト提示制御」の流れについて説明する。なお、本制御において用いられるバラスト寿命情報ＤＲＢは「案内情報」に相当する。また、バラスト提示情報ＤＰＢは「提示情報」に相当する。
【００７２】
マスター３０は、照明器具８０のバラスト８５の寿命を問い合わせるバラスト要求情報ＤＳＢを所定周期毎に生成し、このバラスト要求情報ＤＳＢを伝送インターフェース４０に送信する。
【００７３】
伝送インターフェース４０は、マスター３０からバラスト要求情報ＤＳＢを受信したとき、このバラスト要求情報ＤＳＢを照明器具８０に送信する。なお、１つの伝送情報ＤＢに複数の照明器具８０についてのバラスト要求情報ＤＳＢが含まれるときには、照明器具８０毎に各バラスト要求情報ＤＳＢを送信する。
【００７４】
照明器具８０は、伝送インターフェース４０からバラスト要求情報ＤＳＢを受信したとき、バラスト８５の寿命が末期か否かを判定する。そして、バラスト８５の寿命が末期の旨判定したとき、バラスト８５の型番および照明器具８０を図５の処理部８２の記憶部から取得する。そして、バラスト８５の寿命が末期である旨、バラスト８５の型番、および照明器具８０のアドレスを含むバラスト寿命情報ＤＲＢを生成し、このバラスト寿命情報ＤＲＢを伝送インターフェース４０に送信する。
【００７５】
伝送インターフェース４０は、照明器具８０からバラスト寿命情報ＤＲＢを受信したとき、このバラスト寿命情報ＤＲＢをマスター３０に送信する。なお、複数の照明器具８０からバラスト寿命情報ＤＲＢを受信したときには、複数のバラスト寿命情報ＤＲＢを１つの伝送情報ＤＢにまとめて送信する。
【００７６】
マスター３０は、伝送インターフェース４０からバラスト寿命情報ＤＲＢを受信したとき、このバラスト寿命情報ＤＲＢに基づく情報を図３の表示部３３に表示する。すなわち、電灯寿命情報ＤＲＬに基づく情報として、バラスト８５の寿命が末期である旨、および同バラスト８５を有する照明器具８０の所在を表示する。またマスター３０は、バラスト寿命情報ＤＲＢをサーバー２０に送信する。
【００７７】
サーバー２０は、マスター３０からバラスト寿命情報ＤＲＢを受信したとき、このバラスト寿命情報ＤＲＢに含まれるバラスト８５の型番に基づいて、照明器具８０の適合バラストを図２のデーターベース２３から検索する。すなわち、データーベース２３に参照情報ＤＣとして記憶されている複数のバラストの製品情報のなかから適合バラストの製品情報を抽出する。そして、抽出した製品情報に基づいてバラスト提示情報ＤＰＢを生成し、このバラスト提示情報ＤＰＢをマスター３０に送信する。
【００７８】
マスター３０は、サーバー２０からバラスト提示情報ＤＰＢを受信したとき、このバラスト提示情報ＤＰＢに基づく情報を図３の表示部３３に表示する。すなわち、バラスト提示情報ＤＰＢに基づく情報として、適合バラストの製品情報を表示する。
【００７９】
図８を参照して、「交換本体提示制御」の流れについて説明する。なお、本制御において用いられる器具情報ＤＲＲは「案内情報」に相当する。また、器具提示情報ＤＰＲは「提示情報」に相当する。
【００８０】
マスター３０は、照明器具８０の器具本体８１の製造年を問い合わせる製造年要求情報ＤＳＲを所定周期毎に生成し、この製造年要求情報ＤＳＲを伝送インターフェース４０に送信する。
【００８１】
伝送インターフェース４０は、マスター３０から製造年要求情報ＤＳＲを受信したとき、この製造年要求情報ＤＳＲを照明器具８０に送信する。なお、１つの伝送情報ＤＢに複数の照明器具８０についての製造年要求情報ＤＳＲが含まれるときには、照明器具８０毎に各製造年要求情報ＤＳＲを送信する。
【００８２】
照明器具８０は、伝送インターフェース４０から製造年要求情報ＤＳＲを受信したとき、器具本体８１の製造年の情報を含む器具本体８１の型番を図５の処理部８２の記憶部から取得する。そして、器具本体８１の型番および照明器具８０のアドレスを含む器具情報ＤＲＲを生成し、この器具情報ＤＲＲを伝送インターフェース４０に送信する。
【００８３】
伝送インターフェース４０は、照明器具８０から器具情報ＤＲＲを受信したとき、この器具情報ＤＲＲをマスター３０に送信する。なお、複数の照明器具８０から器具情報ＤＲＲを受信したとき、複数の器具情報ＤＲＲを１つの伝送情報ＤＢにまとめて送信する。
【００８４】
マスター３０は、伝送インターフェース４０から器具情報ＤＲＲを受信したとき、この器具情報ＤＲＲに含まれる器具本体８１の製造年の情報に基づいて、器具本体８１の製造年からの経過年数が所定の年数（以下、「本体判定年数ＴＲ」）を超えているか否かを判定する。そして、経過年数が本体判定年数ＴＲを超えている旨判定したとき、器具情報ＤＲＲに基づく情報を図３の表示部３３に表示する。すなわち、器具情報ＤＲＲに基づく情報として、器具本体８１の製造年からの経過年数、および器具本体８１を有する照明器具８０の所在を表示する。
【００８５】
またマスター３０は、経過年数が本体判定年数ＴＲを超えている旨判定したとき、器具情報ＤＲＲをサーバー２０に送信する。なお、本体判定年数ＴＲは、器具本体８１毎の耐用年数に基づいて設定されている。
【００８６】
サーバー２０は、マスター３０から器具情報ＤＲＲを受信したとき、この器具情報ＤＲＲに含まれる器具本体８１の型番に基づいて、照明器具８０の適合器具本体を図２のデーターベース２３から検索する。すなわち、データーベース２３に参照情報ＤＣとして記憶されている複数の器具本体の製品情報のなかから適合器具本体の製品情報を抽出する。そして、抽出した製品情報に基づいて器具提示情報ＤＰＲを生成し、この器具提示情報ＤＰＲをマスター３０に送信する。
【００８７】
マスター３０は、サーバー２０から器具提示情報ＤＰＲを受信したとき、この器具提示情報ＤＰＲに基づく情報を図３の表示部３３に表示する。すなわち、器具提示情報ＤＰＲに基づく情報として、適合器具本体の製品情報を表示する。
【００８８】
図９を参照して、「最新器具提示制御」の流れについて説明する。なお、本制御において用いられる型番情報ＤＲＮは「案内情報」に相当する。また、新製品提示情報ＤＰＮは「提示情報」に相当する。
【００８９】
サーバー２０は、照明情報制御システム１の外部の装置から照明器具の器具本体の新製品情報を受信したとき、この新製品情報をデーターベース２３の参照情報ＤＣに追加する。そして、参照情報ＤＣを更新した旨を示す更新情報ＤＮを生成し、この更新情報ＤＮをマスター３０に送信する。
【００９０】
マスター３０は、サーバー２０から更新情報ＤＮを受信したとき、この更新情報ＤＮに基づいて器具本体８１の型番を要求する型番要求情報ＤＳＮを生成し、この型番要求情報ＤＳＮを伝送インターフェース４０に送信する。
【００９１】
伝送インターフェース４０は、マスター３０から型番要求情報ＤＳＮを受信したとき、この型番要求情報ＤＳＮを照明器具８０に送信する。なお、１つの伝送情報ＤＢに複数の照明器具８０についての型番要求情報ＤＳＮが含まれるときには、照明器具８０毎に型番要求情報ＤＳＮを送信する。
【００９２】
照明器具８０は、伝送インターフェース４０から型番要求情報ＤＳＮを受信したとき、器具本体８１の型番および照明器具８０のアドレスを処理部８２内の記憶部から取得する。そして、器具本体８１の型番および照明器具８０のアドレスを含む型番情報ＤＲＮを生成し、この型番情報ＤＲＮを伝送インターフェース４０に送信する。
【００９３】
伝送インターフェース４０は、照明器具８０から型番情報ＤＲＮを受信したとき、この型番情報ＤＲＮをマスター３０に送信する。なお、複数の照明器具８０から型番情報ＤＲＮを受信したとき、複数の型番情報ＤＲＮを１つの伝送情報ＤＢにまとめて送信する。
【００９４】
マスター３０は、伝送インターフェース４０から型番情報ＤＲＮを受信したとき、この型番情報ＤＲＮに基づいて器具本体８１の型番を含む新製品確認情報ＤＳＴを生成し、この新製品確認情報ＤＳＴをサーバー２０に送信する。
【００９５】
サーバー２０は、マスター３０から新製品確認情報ＤＳＴを受信したとき、この新製品確認情報ＤＳＴに含まれる器具本体８１の型番に基づいて、照明器具８０の適合器具本体をデーターベース２３から検索する。すなわち、データーベース２３に参照情報ＤＣとして記憶されている複数の器具本体の新製品情報のなかから適合器具本体の新製品情報を抽出する。そして、抽出した新製品情報に基づいて新製品提示情報ＤＰＮを生成し、この新製品提示情報ＤＰＮをマスター３０に送信する。
【００９６】
マスター３０は、サーバー２０から新製品提示情報ＤＰＮを受信したとき、この新製品提示情報ＤＰＮに基づく情報を図３の表示部３３に表示する。すなわち、新製品提示情報ＤＰＮに基づく情報として、対応する照明器具８０の所在と新製品情報とを関連付けて表示する。
【００９７】
（実施形態の効果）
本実施形態の照明情報制御システム１によれば以下の効果が得られる。
（１）照明情報制御システム１においては、照明器具８０に関する情報を含む案内情報ＤＲが上位制御システム１０に入力される。上位制御システム１０においては、照明器具８０に対応する参照情報ＤＣおよび案内情報ＤＲに基づいて、照明器具８０に関する提示情報ＤＰが生成される。提示情報ＤＰを生成する制御としては、以下の「交換電灯提示制御」、「交換バラスト提示制御」、「交換本体提示制御」、および「最新器具提示制御」が行なわれる。
【００９８】
「交換電灯提示制御」においては、照明器具８０の電灯８６の寿命が末期である旨、およびこの照明器具８０の適合電灯の製品情報をマスター３０の表示部３３に表示することにより、各情報をユーザーに提供する。
【００９９】
「交換バラスト提示制御」においては、照明器具８０のバラスト８５の寿命が末期である旨、およびこの照明器具８０の適合バラストの製品情報をマスター３０の表示部３３に表示することにより、各情報をユーザーに提供する。
【０１００】
「交換本体提示制御」においては、照明器具８０の器具本体８１の製造年から長期間が経過している旨、およびこの照明器具８０の適合器具本体の製品情報をマスター３０の表示部３３に表示することにより、各情報をユーザーに提供する。
【０１０１】
「最新器具提示制御」においては、照明器具８０の適合器具本体の新製品情報が追加された旨、およびこの新製品情報をマスター３０の表示部３３に表示することにより、各情報をユーザーに提供する。
【０１０２】
このように、照明情報制御システム１によれば照明器具８０に関する提示情報ＤＰがユーザーに提供されるため、ユーザーは適合電灯、適合バラスト、および適合器具本体に関する情報を検索しなくともこれらの情報を把握することができる。すなわち、ユーザーが照明器具８０に関する情報を取得するときの手間を軽減することができる。
【０１０３】
（２）照明情報制御システム１においては、提示情報ＤＰがマスター３０の表示部３３に表示される。このため、ユーザーはマスター３０の表示部３３を確認することにより、提示情報ＤＰを容易に把握することができる。
【０１０４】
（３）照明情報制御システム１においては、サーバー２０と照明器具８０との間で情報の送受信を仲介する伝送インターフェース４０が設けられている。この構成によれば、通信方式、すなわち送信および受信される信号の規格が互いに異なる照明器具８０とサーバー２０との間において、信号の送受信を行うことができる。
【０１０５】
（４）照明情報制御システム１においては、伝送アダプター７０として次の機能を有するものが設けられている。すなわち伝送アダプター７０は、複数の照明器具８０のそれぞれから送信された情報を１つの伝送情報ＤＢにまとめて上流側に送信する機能を有する。また、上流側から受信した複数の照明器具８０のそれぞれに対する情報をまとめた伝送情報ＤＢを複数の照明器具８０に送信する機能を有する。
【０１０６】
この構成によれば、伝送アダプター７０に直接的に接続される複数の照明器具８０の情報が集約されるため、照明器具８０とサーバー２０または制御コントローラー６０との間での情報の伝達量が増大することを抑制することができる。
【０１０７】
（５）照明情報制御システム１においては、複数の照明器具８０を一元的に管理する上位コントローラー５０が上位制御システム１０に設けられている。この構成によれば、複数の照明器具８０の動作状態を一括して把握することができる。
【０１０８】
（６）照明情報制御システム１においては、複数の単位制御グループＵが設けられている。また、複数の単位制御グループＵの制御コントローラー６０が上位コントローラー５０に対して並列接続されている。
【０１０９】
この構成によれば、制御コントローラー６０を１つだけ備えるとともに同コントローラー５０に対して全ての照明器具８０を接続する構成と比較して、１つの制御コントローラー６０の記憶容量を小さくすることができる。
【０１１０】
（７）照明情報制御システム１においては、通信機能を有する各照明器具８０と、各照明器具８０との間で情報を送受信する機能を有する制御コントローラー６０とが設けられている。
【０１１１】
この構成によれば、照明器具８０自体が通信機能を有しているため、照明器具８０の点灯状態の制御および動作状況の監視のために、照明器具８０とは別に通信機能を有する装置（例えばリレー制御端末器）を設ける必要がない。また、リレー制御端末器を設ける構成においては、分電盤内に配置されるリモコンリレーと照明器具８０との間の配線が必要となるため、レイアウトの変更にともない照明器具８０のグループ分けが変更されるときには配線の変更も必要となる。本実施形態の上記構成によれば、リレー制御端末器が不要となるため、各照明器具８０のグループ分けを容易に変更することができる。
【０１１２】
（第２実施形態）
本実施形態の照明情報制御システム１は、図１に示される第１実施形態の照明情報制御システム１の一部を次のように変更したものとして構成されている。すなわち本実施形態の照明情報制御システム１においては、第１実施形態の提示制御の１つである「交換電灯提示制御」に代えて、「自動発注制御」が行なわれる。また、本システム外部の照明器具の販売業者の受注サーバーとサーバー２０とが伝送線Ｌ１により互いに接続されている。
【０１１３】
なお、本実施形態の照明情報制御システム１において、上記変更点およびこの変更に関連する構成以外は第１実施形態と同様の構成が採用されているため、同実施形態と共通する構成については同一の符号を付してその説明の一部または全部を適宜省略する。
【０１１４】
図１のサーバー２０は、照明器具８０から受信した案内情報ＤＲの内容に応じて第１実施形態の（Ｂ）〜（Ｄ）の各提示制御、および図１０に示される「自動発注制御」を行なう。
【０１１５】
「自動発注制御」は、電灯８６の寿命が検出されたとき、電灯８６の在庫を確認するとともにその結果に基づいて外部の受注サーバーに電灯８６の発注情報を生成するための制御として行われる。
【０１１６】
サーバー２０は、電灯８６の製品情報と製品の在庫数とを互いに関連付けたものを参照情報ＤＣとして記憶している。ユーザーは、マスター３０を操作することによりサーバー２０に記憶されている製品の在庫数を更新することができる。
【０１１７】
図１０を参照して、「自動発注制御」の流れについて説明する。なお、本制御において用いられる電灯寿命情報ＤＲＬは「案内情報」に相当する。また、在庫提示情報ＤＰＳは「提示情報」に相当する。
【０１１８】
照明器具８０は、自身の電灯８６の寿命を確認する判定を所定周期毎に実行する。そして、電灯８６の寿命が末期の旨判定したとき、図５の処理部８２の記憶部から電灯８６の型番および照明器具８０のアドレスを取得する。そして、電灯８６の寿命が末期である旨、電灯８６の型番、および照明器具８０のアドレスを含む電灯寿命情報ＤＲＬを生成し、この電灯寿命情報ＤＲＬを伝送インターフェース４０に送信する。
【０１１９】
伝送インターフェース４０は、照明器具８０から電灯寿命情報ＤＲＬを受信したとき、この電灯寿命情報ＤＲＬをマスター３０に送信する。なお、複数の照明器具８０から電灯寿命情報ＤＲＬを受信したときには、複数の電灯寿命情報ＤＲＬを１つの伝送情報ＤＢにまとめて送信する。
【０１２０】
マスター３０は、伝送インターフェース４０から電灯寿命情報ＤＲＬを受信したとき、この電灯寿命情報ＤＲＬに基づく情報を図３の表示部３３に表示する。すなわち、電灯寿命情報ＤＲＬに基づく情報として、電灯８６の寿命が末期である旨および照明器具８０の所在を表示する。
【０１２１】
またマスター３０は、伝送インターフェース４０から電灯寿命情報ＤＲＬを受信したとき、この電灯寿命情報ＤＲＬをサーバー２０に送信する。
サーバー２０は、マスター３０から電灯寿命情報ＤＲＬを受信したとき、この電灯寿命情報ＤＲＬに含まれる電灯８６の型番に基づいて、同じ型番の電灯８６を図２のデーターベース２３から検索する。すなわち、データーベース２３に参照情報ＤＣとして記憶されている複数の電灯の製品情報のなかから電灯８６と同じ型番の製品情報を抽出する。また、電灯８６と同じ型番の製品情報が参照情報ＤＣに含まれていない場合、例えば電灯８６と同じ型番の電灯が廃番の場合、適合電灯の製品情報を抽出する。そして、抽出した製品情報に関連付けられている在庫数に基づいて在庫提示情報ＤＰＳを生成し、この在庫提示情報ＤＰＳをマスター３０に送信する。
【０１２２】
またサーバー２０は、電灯８６が参照情報ＤＣに含まれている場合において、電灯８６と同じ型番の電灯および適合電灯の双方の在庫数が「０」のとき、外部の受注サーバーに電灯８６を発注するための発注情報ＤＧを生成し、この発注情報ＤＧを外部の受注サーバーに送信する。
【０１２３】
マスター３０は、サーバー２０から在庫提示情報ＤＰＳを受信したとき、この在庫提示情報ＤＰＳに基づく情報を図３の表示部３３に表示する。すなわち、在庫提示情報ＤＰＳに基づく情報として、電灯８６または適合電灯の在庫数を表示する。
【０１２４】
（実施形態の効果）
本実施形態の照明情報制御システムによれば、第１実施形態の（１）〜（７）の効果に加えて以下の効果が得られる。
【０１２５】
（８）照明情報制御システム１においては、電灯寿命情報ＤＲＬおよび参照情報ＤＣに基づいて電灯８６に対応した発注情報ＤＧが生成される。この構成によれば、ユーザーが電灯の在庫を確認する手間および電灯を発注する手間が低減される。
【０１２６】
（第３実施形態）
本実施形態の照明情報制御システム１は、図１に示される第１実施形態の照明情報制御システム１の一部を次のように変更したものとして構成されている。すなわち本実施形態の照明情報制御システム１においては、第１実施形態の提示制御の１つである「交換電灯提示制御」に代えて、「要望反映提示制御」が行なわれる。
【０１２７】
なお、本実施形態の照明情報制御システム１において、上記変更点およびこの変更に関連する構成以外は第１実施形態と同様の構成が採用されているため、同実施形態と共通する構成については同一の符号を付してその説明の一部または全部を適宜省略する。
【０１２８】
図１のサーバー２０は、照明器具８０から受信した案内情報ＤＲの内容に応じて第１実施形態の（Ｂ）〜（Ｄ）の各提示制御、および図１１に示される「要望反映提示制御」を行なう。
【０１２９】
「要望反映提示制御」は、電灯８６の寿命が検出されたとき、予め登録されたユーザーの要望に基づいて適合電灯に関する情報を絞り込み、その結果をマスター３０によりユーザーに提供するための制御として行なわれる。
【０１３０】
マスター３０は、ユーザーの要望としての交換対象の電灯（以下、「絞込情報ＤＤ」）を記憶している。ユーザーは、マスター３０を操作することによりマスター３０に記憶されている絞込情報ＤＤを更新することができる。
【０１３１】
図１１を参照して、「要望反映提示制御」の流れについて説明する。なお、本制御において用いられる電灯寿命情報ＤＲＬは「案内情報」に相当する。また、反映提示情報ＤＰＤは「提示情報」に相当する。
【０１３２】
マスター３０は、ユーザーにより絞込情報ＤＤを登録または更新する作業が行なわれたとき、この絞込情報ＤＤを記憶する。ユーザーは、照明器具８０毎に絞込情報ＤＤを設定することができる。また、絞込情報ＤＤとして、電灯のワット数、電灯の色温度、および電灯のメーカーを登録することができる。
【０１３３】
照明器具８０は、自身の電灯８６の寿命を確認する判定を所定周期毎に実行する。そして、電灯８６の寿命が末期の旨判定したとき、図５の処理部８２の記憶部から電灯８６の型番および照明器具８０のアドレスを取得する。そして、電灯８６の寿命が末期である旨、電灯８６の型番、および照明器具８０のアドレスを含む電灯寿命情報ＤＲＬを生成し、この電灯寿命情報ＤＲＬを伝送インターフェース４０に送信する。
【０１３４】
伝送インターフェース４０は、照明器具８０から電灯寿命情報ＤＲＬを受信したとき、この電灯寿命情報ＤＲＬをマスター３０に送信する。なお、複数の照明器具８０から電灯寿命情報ＤＲＬを受信したときには、複数の電灯寿命情報ＤＲＬを１つの伝送情報ＤＢにまとめて送信する。
【０１３５】
マスター３０は、伝送インターフェース４０から電灯寿命情報ＤＲＬを受信したとき、この電灯寿命情報ＤＲＬに基づく情報を図３の表示部３３に表示する。すなわち、電灯寿命情報ＤＲＬに基づく情報として、電灯８６の寿命が末期である旨および照明器具８０の所在を表示する。
【０１３６】
またマスター３０は、伝送インターフェース４０から電灯寿命情報ＤＲＬを受信したとき、対応する照明器具８０の絞込情報ＤＤを読み出し、電灯８６の型番、照明器具８０のアドレス、および絞込情報ＤＤを含む反映確認情報ＤＳＤを生成する。そして、この反映確認情報ＤＳＤをサーバー２０に送信する。
【０１３７】
サーバー２０は、マスター３０から反映確認情報ＤＳＤを受信したとき、この反映確認情報ＤＳＤに含まれる電灯８６の型番および絞込情報ＤＤに基づいて、照明器具８０の適合電灯を図２のデーターベース２３から検索する。すなわち、データーベース２３に参照情報ＤＣとして記憶されている複数の電灯の製品情報のなかから絞込情報ＤＤの条件を満たす適合電灯の製品情報を抽出する。また、絞込情報ＤＤの条件を満たす適合電灯がない場合には、絞込情報ＤＤを満たさない適合電灯の製品情報を抽出する。そして、抽出した製品情報に基づいて反映提示情報ＤＰＤを生成し、この反映提示情報ＤＰＤをマスター３０に送信する。
【０１３８】
マスター３０は、サーバー２０から反映提示情報ＤＰＤを受信したとき、この反映提示情報ＤＰＤに基づく情報を図３の表示部３３に表示する。すなわち、反映提示情報ＤＰＤに基づく情報として、絞込情報ＤＤの条件を満たす適合電灯の製品情報が抽出されたときには、同適合電灯の製品情報のみを表示する。また、絞込情報ＤＤの条件を満たす適合電灯の製品情報が抽出されていないときには、適合電灯の製品情報に併せて絞込情報ＤＤの条件を満たしていない旨を表示する。
【０１３９】
（実施形態の効果）
本実施形態の照明情報制御システムによれば、第１実施形態の（１）〜（７）の効果に加えて以下の効果が得られる。
【０１４０】
（９）照明情報制御システム１においては、参照情報ＤＣ、案内情報ＤＲ、および絞込情報ＤＤに基づいて提示情報ＤＰが生成される。この構成によれば、絞込情報ＤＤの条件を満たす適合電灯の製品情報が抽出されたとき、同製品情報のみが表示部３３に表示されるため、ユーザーは要望する適合電灯の情報を容易に把握することがきる。
【０１４１】
（第４実施形態）
本実施形態の照明情報制御システム１は、図１に示される第１実施形態の照明情報制御システム１の一部を次のように変更したものとして構成されている。すなわち本実施形態の照明情報制御システム１には、サーバー２０と無線通信を行なう携帯端末１００が設けられている。また、第１実施形態の提示制御の１つである「交換電灯提示制御」に代えて、「携帯提示制御」が行なわれる。
【０１４２】
なお、本実施形態の照明情報制御システム１において、上記変更点およびこの変更に関連する構成以外は第１実施形態と同様の構成が採用されているため、同実施形態と共通する構成については同一の符号を付してその説明の一部または全部を適宜省略する。
【０１４３】
図１のサーバー２０は、照明器具８０から受信した案内情報ＤＲの内容に応じて第１実施形態の（Ｂ）〜（Ｄ）の各提示制御、および図１２に示される「携帯提示制御」を行なう。
【０１４４】
「携帯提示制御」は、電灯８６の寿命が検出されたとき、適合電灯に関する情報を図１の携帯端末１００によりユーザーに提供するための制御として行われる。なお、携帯端末１００には、サーバー２０からの情報を受信する通信部と、サーバー２０から受信した情報等を表示部とが設けられている（いずれも図示略）。
【０１４５】
図１２を参照して、「携帯提示制御」の流れについて説明する。なお、本制御において用いられる電灯寿命情報ＤＲＬは「案内情報」に相当する。また、反映提示情報ＤＰＤは「提示情報」に相当する。
【０１４６】
照明器具８０は、自身の電灯８６の寿命を確認する判定を所定周期毎に実行する。そして、電灯８６の寿命が末期の旨判定したとき、図５の処理部８２の記憶部から電灯８６の型番および照明器具８０のアドレスを取得する。そして、電灯８６の寿命が末期である旨、電灯８６の型番、および照明器具８０のアドレスを含む電灯寿命情報ＤＲＬを生成し、この電灯寿命情報ＤＲＬを伝送インターフェース４０に送信する。
【０１４７】
伝送インターフェース４０は、照明器具８０から電灯寿命情報ＤＲＬを受信したとき、この電灯寿命情報ＤＲＬをサーバー２０および携帯端末１００に送信する。なお、複数の照明器具８０から電灯寿命情報ＤＲＬを受信したときには、複数の電灯寿命情報ＤＲＬを１つの伝送情報ＤＢにまとめて送信する。
【０１４８】
サーバー２０は、伝送インターフェース４０から電灯寿命情報ＤＲＬを受信したとき、この電灯寿命情報ＤＲＬに含まれる電灯８６の型番に基づいて、照明器具８０の適合電灯を図２のデーターベース２３から検索する。すなわち、データーベース２３に参照情報ＤＣとして記憶されている複数の電灯の製品情報のなかから適合電灯の製品情報を抽出する。そして、抽出した製品情報に基づいて電灯提示情報ＤＰＬを生成し、この電灯提示情報ＤＰＬを携帯端末１００に送信する。
【０１４９】
携帯端末１００は、伝送インターフェース４０から電灯寿命情報ＤＲＬを受信したとき、この電灯寿命情報ＤＲＬに基づく情報を携帯端末１００の表示部に表示する。すなわち、電灯寿命情報ＤＲＬに基づく情報として、電灯８６の寿命が末期である旨および照明器具８０の所在を表示する。
【０１５０】
また携帯端末１００は、サーバー２０から電灯提示情報ＤＰＬを受信したとき、この電灯提示情報ＤＰＬに基づく情報を携帯端末１００の表示部に表示する。すなわち、電灯提示情報ＤＰＬに基づく情報として、適合電灯の製品情報を表示する。
【０１５１】
（実施形態の効果）
本実施形態の照明情報制御システムによれば、第１実施形態の（１）〜（７）の効果に加えて以下の効果が得られる。
【０１５２】
（１０）照明情報制御システム１においては、提示情報ＤＰが携帯端末１００に送信される。この構成によれば、ユーザーはマスター３０から離れた場所において携帯端末１００により提示情報ＤＰを確認することができる。
【０１５３】
（第５実施形態）
本実施形態の照明情報制御システム１は、図１に示される第１実施形態の照明情報制御システム１の一部を次のように変更したものとして構成されている。すなわち本実施形態の照明情報制御システム１には、照明器具８０として可視光通信を行なうものが設けられている。また、照明器具８０から可視光として送信される情報を受信する携帯端末２００が設けられている。また、照明器具８０の電灯８６として発光ダイオードを光源とするものが設けられている。また、第１実施形態の提示制御の１つである「交換電灯提示制御」に代えて、「可視光通信提示制御」が行なわれる。
【０１５４】
なお、本実施形態の照明情報制御システム１において、上記変更点およびこの変更に関連する構成以外は第１実施形態と同様の構成が採用されているため、同実施形態と共通する構成については同一の符号を付してその説明の一部または全部を適宜省略する。
【０１５５】
図１のサーバー２０は、照明器具８０から受信した案内情報ＤＲの内容に応じて第１実施形態の（Ｂ）〜（Ｄ）の各提示制御、および図１３に示される「可視光通信提示制御」を行なう。
【０１５６】
「可視光通信提示制御」は、電灯８６の寿命が検出されたとき、適合電灯に関する情報を図１の携帯端末２００によりユーザーに提供するための制御として行われる。なお、携帯端末２００には、照明器具８０からの情報を受信する通信部と、照明器具８０から受信した情報等を表示する表示部とが設けられている（いずれも図示略）。
【０１５７】
図１３を参照して、「可視光通信提示制御」の流れについて説明する。なお、本制御において用いられる電灯寿命情報ＤＲＬは「案内情報」に相当する。また、反映提示情報ＤＰＤは「提示情報」に相当する。
【０１５８】
照明器具８０は、自身の電灯８６の寿命を確認する判定を所定周期毎に実行する。そして、電灯８６の寿命が末期の旨判定したとき、図５の処理部８２の記憶部から電灯８６の型番および照明器具８０のアドレスを取得する。そして、電灯８６の寿命が末期である旨、電灯８６の型番、および照明器具８０のアドレスを含む電灯寿命情報ＤＲＬを生成し、この電灯寿命情報ＤＲＬを伝送インターフェース４０および携帯端末２００に送信する。
【０１５９】
伝送インターフェース４０は、照明器具８０から電灯寿命情報ＤＲＬを受信したとき、この電灯寿命情報ＤＲＬをサーバー２０に送信する。なお、複数の照明器具８０から電灯寿命情報ＤＲＬを受信したときには、複数の電灯寿命情報ＤＲＬを１つの伝送情報ＤＢにまとめて送信する。
【０１６０】
サーバー２０は、伝送インターフェース４０から電灯寿命情報ＤＲＬを受信したとき、この電灯寿命情報ＤＲＬに含まれる電灯８６の型番に基づいて、照明器具８０の適合電灯を図２のデーターベース２３から検索する。すなわち、データーベース２３に参照情報ＤＣとして記憶されている複数の電灯の製品情報のなかから適合電灯の製品情報を抽出する。そして、抽出した製品情報に基づいて電灯提示情報ＤＰＬを生成し、この電灯提示情報ＤＰＬを伝送インターフェース４０に送信する。
【０１６１】
伝送インターフェース４０は、サーバー２０から電灯提示情報ＤＰＬを受信したとき、この電灯提示情報ＤＰＬを照明器具８０に送信する。なお、１つの伝送情報ＤＢに複数の照明器具８０についての電灯提示情報ＤＰＬが含まれるときには、照明器具８０毎に各電灯提示情報ＤＰＬを送信する。
【０１６２】
照明器具８０は、伝送インターフェース４０から電灯提示情報ＤＰＬを受信したとき、この電灯提示情報ＤＰＬを含めて電灯８６としての発光ダイオードから可視光を照射させる。
【０１６３】
携帯端末２００は、照明器具８０からの可視光を受信したとき、この可視光に含まれる電灯寿命情報ＤＲＬに基づく情報を携帯端末２００の表示部に表示する。すなわち、電灯寿命情報ＤＲＬに基づく情報として、電灯８６の寿命が末期である旨および照明器具８０の所在を表示する。
【０１６４】
また携帯端末２００は、照明器具８０から電灯提示情報ＤＰＬを受信したとき、この電灯提示情報ＤＰＬに基づく情報を携帯端末２００の表示部に表示する。すなわち、電灯提示情報ＤＰＬに基づく情報として、適合電灯の製品情報を表示する。
【０１６５】
（実施形態の効果）
本実施形態の照明情報制御システムによれば、第１実施形態の（１）〜（７）の効果に加えて以下の効果が得られる。
【０１６６】
（１１）照明情報制御システム１においては、提示情報ＤＰが可視光通信により携帯端末２００に送信される。この構成によれば、ユーザーは携帯端末２００を所持して照明器具８０の照明範囲内で活動しているとき、照明器具８０に関する提示情報ＤＰを携帯端末２００により確認することができる。
【０１６７】
（第６実施形態）
本実施形態の照明情報制御システム１は、図１に示される第１実施形態の照明情報制御システム１の「交換電灯提示制御」を次のように変更したものとして構成されている。すなわち、第１実施形態の照明情報制御システム１においては、伝送インターフェース４０からサーバー２０およびマスター３０のそれぞれに電灯寿命情報ＤＲＬを送信している。これに対して本実施形態の照明情報制御システム１においては、伝送インターフェース４０、マスター３０、およびサーバー２０の順に電灯寿命情報ＤＲＬを送信している。
【０１６８】
なお、本実施形態の照明情報制御システム１において、上記変更点およびこの変更に関連する構成以外は第１実施形態と同様の構成が採用されているため、同実施形態と共通する構成については同一の符号を付してその説明の一部または全部を適宜省略する。
【０１６９】
図１のサーバー２０は、照明器具８０から受信した案内情報ＤＲの内容に応じて第１実施形態の（Ｂ）〜（Ｄ）の各提示制御、および図１４に示される「交換電灯提示制御」を行なう。
【０１７０】
図１４を参照して、「交換電灯提示制御」の流れについて説明する。なお、本制御において用いられる電灯寿命情報ＤＲＬは「案内情報」に相当する。また、電灯提示情報ＤＰＬは「提示情報」に相当する。
【０１７１】
照明器具８０は、自身の電灯８６の寿命を確認する判定を所定周期毎に実行する。そして、電灯８６の寿命が末期の旨判定したとき、図５の処理部８２の記憶部から電灯８６の型番および照明器具８０のアドレスを取得する。そして、電灯８６の寿命が末期である旨、電灯８６の型番、および照明器具８０のアドレスを含む電灯寿命情報ＤＲＬを生成し、この電灯寿命情報ＤＲＬを伝送インターフェース４０に送信する。
【０１７２】
伝送インターフェース４０は、照明器具８０から電灯寿命情報ＤＲＬを受信したとき、この電灯寿命情報ＤＲＬをマスター３０に送信する。なお、複数の照明器具８０から電灯寿命情報ＤＲＬを受信したときには、複数の電灯寿命情報ＤＲＬを１つの伝送情報ＤＢにまとめて送信する。
【０１７３】
マスター３０は、伝送インターフェース４０から電灯寿命情報ＤＲＬを受信したとき、この電灯寿命情報ＤＲＬに基づく情報を図３の表示部３３に表示する。すなわち、電灯寿命情報ＤＲＬに基づく情報として、電灯８６の寿命が末期である旨および照明器具８０の所在を表示する。また、電灯寿命情報ＤＲＬをサーバー２０に送信する。
【０１７４】
サーバー２０は、マスター３０から電灯寿命情報ＤＲＬを受信したとき、この電灯寿命情報ＤＲＬに含まれる電灯８６の型番に基づいて、照明器具８０の適合電灯を図２のデーターベース２３から検索する。すなわち、データーベース２３に参照情報ＤＣとして記憶されている複数の電灯の製品情報のなかから適合電灯の製品情報を抽出する。そして、抽出した製品情報に基づいて電灯提示情報ＤＰＬを生成し、この電灯提示情報ＤＰＬをマスター３０に送信する。
【０１７５】
マスター３０は、サーバー２０から電灯提示情報ＤＰＬを受信したとき、この電灯提示情報ＤＰＬに基づく情報を図３の表示部３３に表示する。すなわち、電灯提示情報ＤＰＬに基づく情報として、適合電灯の製品情報を表示する。
【０１７６】
（その他の実施形態）
本発明の実施態様は上記各実施形態に限られるものではなく、例えば以下に示すように変更することもできる。また以下の各変形例は、上記各実施形態についてのみ適用されるものではなく、異なる変形例同士を互いに組み合わせて実施することもできる。
【０１７７】
・第２実施形態（図１０）では、マスター３０が電灯寿命情報ＤＲＬを受信したことに基づいてサーバー２０により電灯８６の在庫数を確認し、その結果に基づいて電灯８６または適合電灯の発注情報を生成しているが、この発注情報に代えてまたは加えて、次の発注情報を生成することもできる。
（Ａ）マスター３０がバラスト寿命情報ＤＲＢを受信したことに基づいてサーバー２０によりバラスト８５の在庫数を確認し、その結果に基づいてバラスト８５または適合バラストの発注情報を生成する。
（Ｂ）マスター３０が器具情報ＤＲＲを受信したことに基づいてサーバー２０により器具本体８１の在庫数を確認し、その結果に基づいて器具本体８１または適合器具本体の発注情報を生成する。
【０１７８】
・第３実施形態（図１１）では、絞込情報ＤＤの条件を満たす適合電灯の製品情報が抽出されたとき、同適合電灯の製品情報のみを表示部３３に表示しているが、表示部３３への製品情報の表示方法を次のように変更することもできる。
（Ａ）絞込情報ＤＤの条件を満たす適合電灯の製品情報と、絞込情報ＤＤの条件を満たしている旨の情報とを併せて表示する。
（Ｂ）上記（Ａ）の変形例において、絞込情報ＤＤの条件を満たしていない適合電灯の製品情報と、絞込情報ＤＤの条件を満たしていない旨の情報と併せて表示する。
【０１７９】
・第３実施形態（図１１）では、適合電灯の製品情報を含む反映提示情報ＤＰＤを生成しているが、適合電灯の製品情報に代えてまたは加えて、次の情報を含めて反映提示情報ＤＰＤを生成することもできる。
（Ａ）バラスト８５に関するユーザーの要望を絞込情報ＤＤとして予め記憶する。そして、バラスト寿命情報ＤＲＢおよび絞込情報ＤＤに基づいて、適合バラストの製品情報を含む反映提示情報ＤＰＤを生成する。
（Ｂ）器具本体８１に関するユーザーの要望を絞込情報ＤＤとして予め記憶する。そして、器具情報ＤＲＲおよび絞込情報ＤＤに基づいて、適合器具本体の製品情報を含む反映提示情報ＤＰＤを生成する。
（Ｃ）器具本体８１に関するユーザーの要望を絞込情報ＤＤとして予め記憶する。そして、型番情報ＤＲＮおよび絞込情報ＤＤに基づいて、新製品提示情報ＤＰＮを含む反映提示情報ＤＰＤを生成する。
【０１８０】
・第４実施形態（図１２）では、サーバー２０および携帯端末１００の間で無線通信を行なう構成を採用しているが、この構成に代えてまたは加えて、次の構成を採用することもできる。
（Ａ）マスター３０および携帯端末１００の間で無線通信を行なう。
（Ｂ）伝送インターフェース４０および携帯端末１００の間で無線通信を行なう。
（Ｃ）照明器具８０および携帯端末１００の間で無線通信を行なう。
【０１８１】
・第１〜第４実施形態（図５）では、照明器具８０の電灯８６として蛍光電灯を含めて構成されたものを用いているが、発光ダイオードを含めて構成された電灯８６を用いることもできる。
【０１８２】
・第１〜第５実施形態（図６）では、電灯寿命情報ＤＲＬに基づいて電灯提示情報ＤＰＬを生成しているが、電灯提示情報ＤＰＬに代えてまたは加えて、次の提示情報ＤＰを生成することもできる。
（Ａ）電灯寿命情報ＤＲＬに基づいて、照明器具８０の適合バラストの製品情報を含むバラスト提示情報ＤＰＢを生成する。
（Ｂ）電灯寿命情報ＤＲＬに基づいて、照明器具８０の適合器具本体の製品情報を含む器具提示情報ＤＰＲを生成する。
【０１８３】
・第１〜第６実施形態（図７）では、バラスト寿命情報ＤＲＢに基づいてバラスト提示情報ＤＰＢを生成しているが、バラスト提示情報ＤＰＢに代えてまたは加えて、次の提示情報ＤＰを生成することもできる。
（Ａ）バラスト寿命情報ＤＲＢに基づいて、照明器具８０の適合電灯の製品情報を含む電灯提示情報ＤＰＬを生成する。
（Ｂ）バラスト寿命情報ＤＲＢに基づいて、照明器具８０の適合器具本体の製品情報を含む器具提示情報ＤＰＲを生成する。
【０１８４】
・第１〜第６実施形態（図８）では、器具情報ＤＲＲに基づいて器具提示情報ＤＰＲを生成しているが、器具提示情報ＤＰＲに代えてまたは加えて、次の提示情報ＤＰを生成することもできる。
（Ａ）器具情報ＤＲＲに基づいて、照明器具８０の適合電灯の製品情報を含む電灯提示情報ＤＰＬを生成する。
（Ｂ）器具情報ＤＲＲに基づいて、照明器具８０の適合バラストの製品情報を含むバラスト提示情報ＤＰＢを生成する。
【０１８５】
・第１〜第６実施形態（図６）では、電灯８６の積算点灯時間が電灯判定時間ＴＬを超えているときに電灯寿命情報ＤＲＬを生成しているが、電灯寿命情報ＤＲＬの生成の条件を次のように変更することもできる。
（Ａ）電灯８６の電圧または電流を検出する回路を照明器具８０に設ける。そして、同回路の出力が所定の条件を満たすとき、電灯寿命情報ＤＲＬを生成する。
（Ｂ）積算点灯時間に代えて、電灯８６が取り付けられてからの経過時間をカウントする。そして、この経過時間が電灯８６毎に設定される耐用時間を超えたとき、電灯寿命情報ＤＲＬを生成する。
【０１８６】
・第１〜第６実施形態（図７）では、バラスト８５のバラスト積算点灯時間がバラスト判定時間ＴＢを超えているときにバラスト寿命情報ＤＲＢを生成しているが、バラスト寿命情報ＤＲＢの生成の条件を次のように変更することもできる。
（Ａ）バラスト８５の電圧または電流を検出する回路を照明器具８０に設ける。そして、同回路の出力が所定の条件を満たすとき、バラスト寿命情報ＤＲＢを生成する。
（Ｂ）バラスト積算点灯時間に代えて、バラスト８５が取り付けられてからの経過時間をカウントする。そして、この経過時間がバラスト８５毎に設定される耐用時間を超えたとき、バラスト寿命情報ＤＲＢを生成する。
【０１８７】
・第１〜第６実施形態（図８）では、器具本体８１の製造年からの経過年数が本体判定年数ＴＲを超えているときに器具提示情報ＤＰＲを生成しているが、器具提示情報ＤＰＲの生成の条件を次のように変更することもできる。
（Ａ）器具本体８１を取り付けてからの経過時間が所定の時間を超えているとき、器具提示情報ＤＰＲを生成する。
（Ｂ）器具本体８１の総使用時間、すなわち照明器具８０を取り付けてからの点灯回路部８４の総通電時間が所定の時間を超えているとき、器具提示情報ＤＰＲを生成する。
【０１８８】
・第１〜第６実施形態（図６）では、電灯８６が交換されるとき、新しい電灯８６の型番をユーザーがマスター３０に入力することにより、照明器具８０に電灯８６の型番を設定しているが、型番の更新方法を次のように変更することもできる。すなわち、電灯８６が交換されるとき、照明器具８０のアドレスと電灯８６の型番とを関連付けてマスター３０に記憶する。そして、電灯寿命情報ＤＲＬがマスター３０に送信されたとき、マスター３０において電灯寿命情報ＤＲＬから電灯８６の型番を取り出す。
【０１８９】
・第１〜第６実施形態（図７）では、バラスト８５が交換されるとき、新しいバラスト８５の型番をユーザーがマスター３０に入力することにより、照明器具８０にバラスト８５の型番を設定しているが、型番の更新方法を次のように変更することもできる。すなわち、バラスト８５が交換されるとき、照明器具８０のアドレスとバラスト８５の型番とを関連付けてマスター３０に記憶する。そして、バラスト寿命情報ＤＲＢがマスター３０に送信されたとき、マスター３０においてバラスト寿命情報ＤＲＢからバラスト８５の型番を取り出す。
【０１９０】
・第１〜第６実施形態（図１）では、参照情報ＤＣを記憶するデーターベース２３をサーバー２０に設けているが、参照情報ＤＣに関する構成を次のように変更することもできる。
（Ａ）マスター３０または伝送インターフェース４０の各装置の少なくとも一方に参照情報ＤＣを記憶するデーターベースを設ける。この場合には、サーバー２０のデーターベース２３から参照情報ＤＣを省略することができる。
（Ｂ）上位制御システム１０を構成する少なくとも１つの機器によりシステム外部のサーバーから参照情報ＤＣを呼び出す。そして、この参照情報ＤＣと案内情報ＤＲとに基づいて提示情報ＤＰを生成する。
【０１９１】
・第１〜第６実施形態（図１）では、各照明スイッチ９０から監視情報ＤＭが送信されたとき、対応する照明器具８０を制御コントローラー６０により個別に制御しているが、照明器具８０の制御態様を次のように変更することもできる。すなわち、各照明スイッチ９０から監視情報ＤＭが送信されたとき、対応する照明器具８０を上位コントローラー５０または伝送アダプター７０により個別に制御することもできる。
【０１９２】
・第１〜第６実施形態（図１）では、制御コントローラー６０と各照明器具８０との間に伝送アダプター７０を設けているが、伝送アダプター７０を省略することもできる。この場合には、制御コントローラー６０と各照明器具８０とが情報伝達機器を介することなく互いに接続される。
【０１９３】
・第１〜第６実施形態（図１）では、上位コントローラー５０と各伝送アダプター７０との間に制御コントローラー６０を設けているが、制御コントローラー６０を省略することもできる。この場合には、上位コントローラー５０と各伝送アダプター７０とが情報伝達機器を介することなく互いに接続される。
【０１９４】
・第１〜第６実施形態（図１）では、上位制御システム１０に上位コントローラー５０を設けているが、上位コントローラー５０を省略することもできる。この場合には、サーバー２０およびマスター３０と制御コントローラー６０とが情報伝達機器を介することなく互いに接続される。
【０１９５】
・第１〜第６実施形態（図１）では、マスター３０およびサーバー２０と各照明器具８０との間に伝送インターフェース４０を設けているが、伝送インターフェース４０を省略することもできる。この場合、マスター３０およびサーバー２０と各照明器具８０とは同一の通信方式により通信を行う。また、照明器具８０の個別点灯制御をはじめとする各種制御がマスター３０およびサーバー２０により行なわれる。
【符号の説明】
【０１９６】
１…照明情報制御システム、１０…上位制御システム、２０…サーバー、４０…伝送インターフェース、８０…照明器具、８１…器具本体、８５…バラスト、８６…電灯、１００，２００…携帯端末。
【図１】
0005688544.tif 000002
【図２】
0005688544.tif 000003
【図３】
0005688544.tif 000004
【図４】
0005688544.tif 000005
【図５】
0005688544.tif 000006
【図６】
0005688544.tif 000007
【図７】
0005688544.tif 000008
【図８】
0005688544.tif 000009
【図９】
0005688544.tif 000010
【図１０】
0005688544.tif 000011
【図１１】
0005688544.tif 000012
【図１２】
0005688544.tif 000013
【図１３】
0005688544.tif 000014
【図１４】
0005688544.tif 000015